(57)【要約】【課題】チャネルの占有帯域を狭くし、非線形光学効果と波長分散とによる波形歪みを受け難くさせる。【解決手段】光デュオバイナリ信号生成回路１０１は、ＮＲＺ信号よりも狭い光占有帯域を持つ光デュオバイナリ信号を生成する。光ゲート回路１１１は、上記光デュオバイナリ信号をＲＺ化してＤ−ＲＺ信号を生成する。光フィルタ１２１は、上記Ｄ−ＲＺ信号の高調波成分を抑圧する。すなわち、光フィルタ１２１は、中心のピークと両サイドのピークとを通過させる。つまり、光フィルタ１２１の透過帯域は、伝送速度Ｂの３倍となる。なお、光フィルタ１２１の通過帯域がＢとなると、出力がＲＺではなく、ＮＲＺになる。【選択図】　図１
2004015294.tif 000002
【特許請求の範囲】
【請求項１】
光デュオバイナリ信号を生成する光デュオバイナリ信号生成回路と、
前記光デュオバイナリ信号生成回路の光出力をＲＺ信号化し、デュオバイナリＲＺ信号を生成する光ゲート回路と、
前記光ゲート回路からのデュオバイナリＲＺ信号の周波数成分のうち、高調波成分を抑圧する光フィルタと
を具備することを特徴とする光送信回路。
【請求項２】
前記光デュオバイナリ信号生成回路は、
チャープを含む光デュオバイナリ信号を生成するチャープ光デュオバイナリ信号生成回路であることを特徴とする請求項１記載の光送信回路。
【請求項３】
ＲＺ状の光パルス列であるＲＺ光パルス信号を出力する光パルス生成回路と、
前記光パルス生成回路からのＲＺ光パルス信号に対して、該パルス１ビット当たり変調信号１ビット分の変調を加えるように光パルス信号と変調信号の同期を取ることで、デュオバイナリＲＺ信号を生成する光デュオバイナリ信号生成回路と、
前記デュオバイナリＲＺ信号生成回路からのデュオバイナリＲＺ信号の周波数成分のうち、高調波成分を抑圧する光フィルタと
を具備することを特徴とする光送信回路。
【請求項４】
前記光デュオバイナリ信号生成回路は、
連続光を入力した場合に光デュオバイナリ信号を生成するデュオバイナリＲＺ信号生成回路であることを特徴とする請求項３記載の光送信回路。
【請求項５】
前記光デュオバイナリ信号生成回路は、
連続光を入力とした場合にチャープを含む光デュオバイナリ信号を生成するチャープ光デュオバイナリ信号生成回路であることを特徴とする請求項３記載の光送信回路。
【発明の詳細な説明】
【０００１】
【発明の属する技術分野】
本発明は、光デュオバイナリ信号を用いた狭帯域ＲＺ符号の生成において、光波形の整形を光領域で行うことにより大容量光伝送を実現する光送信回路に関する。
【０００２】
【従来の技術】
大容量光伝送においては、ＳＰＭ（Ｓｅｌｆ−Ｐｈａｓｅ　Ｍｏｄｕｌａｔｉｏｎ）、ＸＰＭ（Ｃｒｏｓｓ−Ｐｈａｓｅ　Ｍｏｄｕｌａｔｉｏｎ）等の非線形光学効果と光ファイバの波長分散特性とにより光波形が歪み、伝送距離を制限する原因の１つとなる。一般にＲＺ（Ｒｅｔｕｒｎ　ｔｏ　Ｚｅｒｏ）信号は、ＮＲＺ（Ｎｏｎ　Ｒｅｔｕｒｎ　ｔｏ　Ｚｅｒｏ）信号に比べ、隣接パルス間の干渉が生じにくいため、波形ひずみの影響が少ない。また、ＮＲＺ信号に比ベ、クロック再生も容易となるため、大容量光伝送におけるＲＺ信号の適用が広く検討されている。しかし、この場合、ＮＲＺ信号に比ベ、チャネルの占有帯域が広くなり、ＷＤＭ（Ｗａｖｅｌｅｎｇｔｈ　Ｄｉｖｉｓｉｏｎ　Ｍｕｌｔｉｐｌｅｘｉｎｇ）においてはチャネル間の波長間隔を広げざるを得ない。
【０００３】
これに対して、従来より、光デュオバイナリＲＺ信号（以下、Ｄ−ＲＺ信号と呼ぶ）［１］、ＣＳ−ＲＺ［２］、のように光伝送路における占有帯域の抑圧されたＲＺ光変調方式を用いることで、ＲＺ信号でありながら占有帯域が狭く、非線形光学効果および波長分散に対する耐性が高い変調方式が提案されている。
【０００４】
上記Ｄ−ＲＺ信号［１］の詳細は、『Ｋ．Ｉｍａｉ他，“Ａ　ｓｔｕｄｙ　ｏｆ　ｌｏｎｇ　ｄｉｓｔａｎｃｅ　ＷＤＭ　ｔｒａｎｓｍｉｓｓｉｏｎ　ｕｓｉｎｇ　ＲＺ　ｄｕｏｂｉｎａｒｙ　ｐｕｌｓｅ”，　ＯＡＡ　１９９８，　ＴｕＢ４“１，１９９８』に述べられている。
【０００５】
また、上記ＣＳ−ＲＺ［２］の詳細は、『Ｙ．Ｍｉｙａｍｏｔｏ　他，　“３２０−Ｇｂｉｔ／ｓ（８×４０　Ｇｂｉｔ／ｓ）ＷＤＭ　ｔｒａｎｓｍｉｓｓｉｏｎ　ｏｖｅｒ　３６７−ｋｍ　ｚｅｒｏ　ｄｉｓｐｅｒｓｉｏｎ−ｆｌａｔｔｅｎｅｄ　ｌｉｎｅ　ｗｉｔｈ　１２０−ｋｍ　ｒｅｐｅａｔｅｒ　ｓｐａｃｉｎｇ　ｕｓｉｎｇ　ｃａｒｒｉｅｒ−ｓｕｐｐｒｅｓｓｅｄ　ｒｅｔｕｒｎ−ｔｏ−ｚｅｒｏ　ｐｕｌｓｅ　ｆｏｒｍａｔ”，ＯＡＡ１９９９，ＰＤ４−１，１９９９』に述べられている。
【０００６】
【発明が解決しようとする課題】
しかしながら、上述したような従来技術では、光変調時の高調波成分が伝送路上の光信号に残留することで十分に占有帯域が抑圧されず、伝送特性の劣化を招く場合があるという問題がある。また、変調方式自体が信号のパターンに依存したチャープを発生し、波形の歪みを生じ易くする場合があるという問題がある。
【０００７】
この発明は上述した事情に鑑みてなされたもので、チャネルの占有帯域を狭くし、非線形光学効果と波長分散とによる波形歪みを受け難くさせることができ、大容量光伝送において伝送距離や伝送容量の向上を実現することができる光送信回路を提供することを目的とする。
【０００８】
【課題を解決するための手段】
上述した問題点を解決するために、請求項１記載の発明では、光デュオバイナリ信号を生成する光デュオバイナリ信号生成回路と、前記光デュオバイナリ信号生成回路の光出力をＲＺ信号化し、デュオバイナリＲＺ信号を生成する光ゲート回路と、前記光ゲート回路からのデュオバイナリＲＺ信号の周波数成分のうち、高調波成分を抑圧する光フィルタとを具備することを特徴とする。
【０００９】
また、請求項２記載の発明では、請求項１記載の光送信回路において、前記光デュオバイナリ信号生成回路は、チャープを含む光デュオバイナリ信号を生成するチャープ光デュオバイナリ信号生成回路であることを特徴とする。
【００１０】
また、上述した問題点を解決するために、請求項３記載の発明では、ＲＺ状の光パルス列であるＲＺ光パルス信号を出力する光パルス生成回路と、前記光パルス生成回路からのＲＺ光パルス信号に対して、該パルス１ビット当たり変調信号１ビット分の変調を加えるように光パルス信号と変調信号の同期を取ることで、デュオバイナリＲＺ信号を生成する光デュオバイナリ信号生成回路と、前記デュオバイナリＲＺ信号生成回路からのデュオバイナリＲＺ信号の周波数成分のうち、高調波成分を抑圧する光フィルタとを具備することを特徴とする。
【００１１】
また、請求項４記載の発明では、請求項３記載の光送信回路において、前記光デュオバイナリ信号生成回路は、連続光を入力した場合に光デュオバイナリ信号を生成するデュオバイナリＲＺ信号生成回路であることを特徴とする。
【００１２】
また、請求項５記載の発明では、請求項３記載の光送信回路において、前記光デュオバイナリ信号生成回路は、連続光を入力とした場合にチャープを含む光デュオバイナリ信号を生成するチャープ光デュオバイナリ信号生成回路であることを特徴とする。
【００１３】
この発明では、光デュオバイナリ信号生成回路により、ＮＲＺ信号よりも狭い光占有帯域を持つ光デュオバイナリ信号を生成し、光ゲート回路により、前記光デュオバイナリ信号生成回路の光出力をＲＺ信号化し、デュオバイナリＲＺ信号を生成し、光フィルタにより、前記光ゲート回路からのデュオバイナリＲＺ信号の周波数成分のうち、高調波成分を抑圧して光伝送路に送信する。したがって、チャネルの占有帯域を狭くし、非線形光学効果と波長分散とによる波形歪みを受け難くさせることが可能となり、大容量光伝送において伝送距離や伝送容量の向上を実現することが可能となる。
【００１４】
【発明の実施の形態】
以下、図面を用いて本発明の実施の形態を説明する。
Ａ．第１実施形態
図１は、本発明の第１実施形態（請求項１）による光送信回路の基本構成を示すブロック図である。図１において、本第１実施形態の光送信回路は、光デュオバイナリ信号生成回路１０１、光ゲート回路１１１および光フィルタ１２１からなる。光デュオバイナリ信号生成回路１０１は、ＮＲＺ信号よりも狭い光占有帯域を持つ光デュオバイナリ信号を生成する。
【００１５】
光ゲート回路１１１は、光デュオバイナリ信号生成回路により生成された光デュオバイナリ信号をＲＺ化してＤ−ＲＺ信号を生成する。また、上記Ｄ−ＲＺ信号は、図５に示すようなスペクトルを有する。光フィルタ１２１は、上記Ｄ−ＲＺ信号の高調波成分を抑圧する。すなわち、光フィルタ１２１は、図５に示すスペクトルにおいて、中心のピークと両サイドのピークとを通過させる。つまり、光フィルタ１２１の透過帯域は、伝送速度Ｂの３倍となる。なお、光フィルタ１２１の通過帯域がＢとなると、出力がＲＺではなく、ＮＲＺになる。
【００１６】
Ｂ．第２実施形態
図２は、本発明の第２実施形態（請求項２）による光送信回路の基本構成を示すブロック図である。図２において、本第２実施形態の光送信回路は、チャープ光デュオバイナリ信号生成回路１０２、光ゲート回路１１１および光フィルタ１２１からなる。チャープ光デュオバイナリ信号生成回路１０２は、ＮＲＺ信号よりも狭い光占有帯域を持つチャープを含む光デュオバイナリ信号を生成する。光ゲート回路１１１は、チャープ光デュオバイナリ信号生成回路により生成されたチャープを含む光デュオバイナリ信号をＲＺ化してＤ−ＲＺ信号を生成する。光フィルタ１２１は、Ｄ−ＲＺ信号の高調波成分を抑圧する。
【００１７】
Ｃ．第３実施形態
図３は、本発明の第３実施形態（請求項３）による光送信回路の基本構成を示すブロック図である。図３において、本実施形態の光送信回路は、光パルス発生回路１３１、光デュオバイナリＲＺ信号生成回路１０３および光フィルタ１２１からなる。光パルス発生回路１３１は、ＲＺ状の光パルス列であるＲＺ光パルス信号を生成する。光デュオバイナリＲＺ信号生成回路１０３は、ＲＺ光パルス信号に対して、１ビット当たり変調信号１ビット分の変調を加えるように光パルス信号と変調信号の同期を取ることで、上記ＲＺ光パルス信号に変調を加え、ＮＲＺ信号よりも狭い光占有帯域を持つＤ−ＲＺ信号を生成する。光フィルタ１２１は、光デュオバイナリＲＺ信号の高調波成分を抑圧する。
【００１８】
Ｄ．第４実施形態
図４は、本発明の第４実施形態（請求項４）による光送信回路の基本構成を示すブロック図である。図４において、本実施形態の光送信回路は、光パルス発生回路１３１、チャープ光デュオバイナリＲＺ信号生成回路１０４および光フィルタ１２１からなる。光パルス発生回路１３１は、ＲＺ状の光パルス列であるＲＺ光パルス信号を生成する。チャープ光デュオバイナリＲＺ信号生成回路１０４は、ＲＺ光パルス信号に対して、１ピット当たり変調信号１ビット分の変調を加えるように光パルス信号と変調信号の同期を取ることで、上記ＲＺ光パルス信号に変調を加え、ＮＲＺ信号よりも狭い光占有帯域を持てチャープを含むＤ−ＲＺ信号を生成する。光フィルタ１２１は、チャープ光デュオバイナリＲＺ信号の高調波成分およびチャープを抑圧する。
【００１９】
上述した第１ないし第４実施形態によれば、光フィルタ１２１により、占有帯域を抑圧できるようになる。また、通過帯域を３Ｂとしたことで、ＮＲＺではなく、デュオバイナリＲＺ信号が生成され、隣接パルス間の干渉の低減や、クロック再生が容易であるＲＺ符号の利点が活かすことが可能となる。
【００２０】
【発明の効果】
以上説明したように、本発明によれば、光デュオバイナリ信号生成回路により、ＮＲＺ信号よりも狭い光占有帯域を持つ光デュオバイナリ信号を生成し、光ゲート回路により、前記光デュオバイナリ信号生成回路の光出力をＲＺ信号化し、デュオバイナリＲＺ信号を生成し、光フィルタにより、前記光ゲート回路からのデュオバイナリＲＺ信号の周波数成分のうち、高調波成分を抑圧して光伝送路に送信するようにしたので、チャネルの占有帯域を狭くし、非線形光学効果と波長分散とによる波形歪みを受け難くさせることができ、大容量光伝送において伝送距離や伝送容量の向上を実現することができるという利点が得られる。
【図面の簡単な説明】
【図１】本発明の第１実施形態による光送信回路の基本構成を示すブロック図である。
【図２】本発明の第２実施形態による光送信回路の基本構成を示すブロック図である。
【図３】本発明の第３実施形態による光送信回路の基本構成を示すブロック図である。
【図４】本発明の第４実施形態による光送信回路の基本構成を示すブロック図である。
【図５】Ｄ−ＲＺ信号のスペクトルを示す概念図である。
【符号の説明】
１０１　光デュオバイナリ信号生成回路
１０２　チャープ光デュオバイナリ信号生成回路
１０３　光デュオバイナリＲＺ信号生成回路
１０４　チャープ光デュオバイナリＲＺ信号生成回路
１１１　光ゲート回路
１２１　光フィルタ
１３１　光パルス発生回路（光パルス生成回路）
【図１】
2004015294.tif 000003
【図２】
2004015294.tif 000004
【図３】
2004015294.tif 000005
【図４】
2004015294.tif 000006
【図５】
2004015294.tif 000007